(57)【要約】【課題】  ファンの熱膨張を吸収することが可能で、ファンをモータの回転軸から抜き出しても、各部品が分離しない構造の送風ファンユニット、および温風暖房機を提供することを目的とする。【解決手段】  送風ファンユニットは、モータ３、ファンアッセンブリ５、回転軸３ａに固定された止め金具４および回転軸３ａに螺合する締めナット１７を有している。ファンアッセンブリは、ファン１１、ファン１１が設置された回転軸スリーブ９、およびウェーブワッシャ８を具備し、締めナット１７が、回転軸スリーブ９をウェーブワッシャ８を介して止め金具４に押し付けている。よって、回転軸スリーブ９の熱伸縮が吸収され且つ止め金具４に過剰な荷重が掛からない。また、ウェーブワッシャ８とスライダ−７が弾性体ホルダー６内に収容されバラバラに分離することがなく、押し付け力はスライダー７を介して止め金具４に伝達される。【選択図】        図１
2005241048.tif 000002
【特許請求の範囲】
【請求項１】
モータと、該モータの回転軸が貫通しているファンアッセンブリと、前記モータと前記ファンアッセンブリとの間で前記回転軸に固定された止め金具と、前記回転軸の先端部に螺合して前記ファンアッセンブリの抜き出しを防止する締めナットとを有し、
前記ファンアッセンブリが、前記回転軸が貫通している弾性体と、前記回転軸が貫通している回転軸スリーブと、該回転軸スリーブの前記モータ側に設置されたモータ側フランジと、該回転軸スリーブの前記締めナット側に設置された締めナット側フランジと、該モータ側フランジと該締めナット側フランジとによって挾持されたファンとを具備し、
前記締めナットが、前記回転軸スリーブまたは締めナット側フランジに当接して前記回転軸スリーブを前記弾性体を介して前記止め金具に押し付けることによって、前記回転軸スリーブの熱伸縮が吸収されること、ならびに、前記締めナットを撤去することによって、前記ファンアッセンブリが、前記弾性体、前記回転軸スリーブ、前記モータ側フランジ、前記締めナット側フランジおよび前記ファンが略一体化したまま前記回転軸から抜き出し自在であることを特徴とする送風ファンユニット。
【請求項２】
前記弾性体がウェーブワッシャーであることを特徴とする請求項１記載の送風ファンユニット。
【請求項３】
前記弾性体が、後記弾性体ホルダ内に収容され、後記スライダを介して前記止め金具に押し付けられるものであって、
弾性体ホルダが、前記回転軸スリーブの前記モータ側に設置され、底部の中心部を貫通する中心孔を具備する底付き筒状体で、
スライダが、前記中心孔を通過不能なスライダ外フランジと、前記中心孔に侵入自在な外径および前記回転軸が貫通自在な内径からなるスライダボスとを具備する筒状体で、
前記スライダ外フランジが前記弾性体ホルダ内に収容され、前記スライダボスが前記中心孔を貫通して移動自在に突出し、前記弾性体が前記スライダの前記締めナット側端面に当接していることを特徴とする請求項１または２記載の送風ファンユニット。
【請求項４】
前記モータ側フランジと締めナット側フランジとの間に第２のウェーブワッシャーが配置され、前記ファンが該第２のウェーブワッシャーを介して挾持されていることを特徴とする請求項１乃至３の何れかに記載の送風ファンユニット。
【請求項５】
前記ファンの両側面および内周面に防振体が配置されていることを特徴とする請求項１乃至４の何れかに記載の送風ファンユニット。
【請求項６】
筐体と、  
該筐体内に設置された空気加熱手段と、
前記筐体の側面に設置され、空気を前記空気加熱手段に送り込む請求項１乃至５の何れかに記載の送風ファンユニットとを有することを特徴とする温風暖房機。
【請求項７】
前記筐体の側面に蝶番によって開閉自在に設置された保護ガードを有し、
該保護ガードの内面側に前記送風ファンユニットが設置されていることを特徴とする請求項６記載の温風暖房機。
【発明の詳細な説明】
【技術分野】
【０００１】
本発明は、送風ファンユニットおよび送風ファンユニットを有する温風暖房機に関する。
【背景技術】
【０００２】
従来、ファン駆動モータからファンおよび筐体に伝達する振動を減少させる目的で、ファンの内周がモータ軸に非接触で、ファンの両側面がゴムによってサンドイッチされて支持された空気調和機の防振構造が開示されている。（例えば、特許文献１参照）。
【０００３】
【特許文献１】特開平７−１９５１６号公報（４頁、図２）
【発明の開示】
【発明が解決しようとする課題】
【０００４】
しかしながら、前記空気調和機の防振構造は、ファン駆動モータの回転軸に固定された一対のプレートが、ゴムを介してファンをサンドイッチするものであるため以下の問題があった。すなわち、
ファンが軸方向に熱膨張するため、これによって前記プレートが永久変形を起こし、ファンとプレートに間に隙間が発生して運転中に不快な振動や音が生じていた。
また、ファンの清掃する際等にファンを回転軸から抜き出そうとしても、前記プレートの着脱が容易でないため、ファンを回転軸から抜き出すことが困難であった。
さらに、ファンを回転軸から抜き出した場合は、各部品がバラバラに分離するため、部品が散逸して改めて調達したり、あるいは、これらを順番に並べて組み立て直したりする必要があった。
【０００５】
本発明は上記に鑑みてなされたものであって、ファンの熱膨張を吸収することが可能で、ファンを回転軸から抜き出しても、各部品が分離しない構造の送風ファンユニット、および該送風ファンユニットを有する温風暖房機を提供することを目的とする。
【課題を解決するための手段】
【０００６】
本発明に係る送風ファンユニットは、モータと、該モータの回転軸が貫通しているファンアッセンブリーと、前記モータと前記ファンアッセンブリーとの間で前記回転軸に固定された止め金具と、前記回転軸の先端部に螺合して前記ファンアッセンブリーの抜き出しを防止する締めナットとを有し、
前記ファンアッセンブリーが、前記回転軸が貫通している弾性体と、前記回転軸が貫通している回転軸スリーブと、該回転軸スリーブの前記モータ側に設置されたモータ側フランジと、該回転軸スリーブの前記締めナット側に設置された締めナット側フランジと、該モータ側フランジと該締めナット側フランジとによって挾持されたファンとを具備し、
前記締めナットが、前記回転軸スリーブまたは締めナット側フランジに当接して前記回転軸スリーブを前記弾性体を介して前記止め金具に押し付けることによって、前記回転軸スリーブの熱伸縮が吸収されること、ならびに、前記締めナットを撤去することによって、前記ファンアッセンブリが、前記弾性体、前記回転軸スリーブ、前記モータ側フランジ、前記締めナット側フランジおよび前記ファンが略一体化したまま前記回転軸から抜き出し自在であることを特徴とする。
【０００７】
また、前記弾性体がウェーブワッシャーであることを特徴とする。
【０００８】
また、前記弾性体が、後記弾性体ホルダー内に収容され、後記スライダを介して前記止め金具に押し付けられるものであって、
弾性体ホルダーが、前記回転軸スリーブの前記モータ側に設置され、底部の中心部を貫通する中心孔を具備する底付き筒状体で、
スライダが、前記中心孔を通過不能なスライダ外フランジと、前記中心孔に侵入自在な外径および前記回転軸が貫通自在な内径からなるスライダボスとを具備する筒状体で、
前記スライダ外フランジが前記弾性体ホルダー内に収容され、前記スライダボスが前記中心孔を貫通して移動自在に突出し、前記弾性体が前記スライダの前記締めナット側端面に当接していることを特徴とする。
【０００９】
また、前記モータ側フランジと締めナット側フランジとの間に第２のウェーブワッシャーが配置され、前記ファンが該第２のウェーブワッシャーを介して挾持されていることを特徴とする。
【００１０】
また、前記ファンの両側面および内周面に防振体が配置されていることを特徴とする。
【００１１】
さらに、本発明に係る温風暖房機は、筐体と、該筐体内に設置された空気加熱手段と、前記筐体の側面に設置され、空気を前記空気加熱手段に送り込む前記送風ファンユニットの何れかとを有することを特徴とする。
【００１２】
また、前記筐体の側面に蝶番によって開閉自在に設置された保護ガードを有し、
該保護ガードの内面側に前記送風ファンユニットが設置されていることを特徴とする。
【発明の効果】
【００１３】
したがって、本発明の送風ファンユニットは、これを構成する各部品がバラバラに分離しない略一体化されたファンアッセンブリーを有し、熱伸縮を吸収することができる。
【発明を実施するための最良の形態】
【００１４】
以下、実施形態１として本発明の実施形態に係る送風ファンユニットを、実施形態２として温風暖房機を説明する。なお、なお、以下の各図において、同じ部分または相当する部分には同じ符号を付し、一部の説明を省略する。
【００１５】
［実施形態１］
（送風ファンユニット）
図１および図２は、それぞれ本発明の実施形態１に係る送風ファンユニットの取り付け構造を示す側面視の断面図および送風ファンユニットを構成する各部品を分解して示す斜視図である。
図１および図２において、送風ファンユニット２は、モータ３、モータ３の回転軸３ａが貫通しているファンアッセンブリー５と、モータ３とファンアッセンブリー５との間で回転軸３ａに固定された止め金具４と、回転軸３ａの先端部に螺合してファンアッセンブリー５の抜き出しを防止する締めナット１７とを有している。
【００１６】
（モータ）
モータ３は、断面Ｄ字状（以下「Ｄカット」または「Ｄカット状」と称す）の回転軸３ａを有し、図示しない温風暖房機に設置する際、設置用ネジが貫通する設置用孔３ｄが設けられている。回転軸３ａのモータ３に近い位置に、円周方向に所定の幅で所定深さの環状溝３ｂが形成され、先端の所定範囲に、締めナット１７が螺合する回転軸雄ネジ３ｃが設けられている。なお、環状溝３ｂに代えてモータ側が径大になる段差や突条等であってもよい。
【００１７】
（止め金具）
止め金具４は、回転軸３ａの環状溝３ｂに嵌合して、軸方向に移動しない（ズレない）ように固定されたＥ形止め輪である。なお、軸方向に移動しない限りＥ形止め輪に限定するものではなく、たとえば、Ｃ形止め輪であってもよい。
【００１８】
（ファンアッセンブリー）
ファンアッセンブリー５は、ファン１１を回転軸３ａに設置するためのものであって、回転軸３ａが貫通している弾性体８と、回転軸３ａが貫通している回転軸スリーブ９と、回転軸スリーブ９の前記モータ側に設置されたモータ側フランジ９ｃと、回転軸スリーブ９の締めナット側に設置された締めナット側フランジ１６ｂとを有している。そして、ファン１１はモータ側フランジ９ｃと締めナット側フランジ１６ｂとによって間接的に挾持されている。
【００１９】
（弾性体）
弾性体８は、弾性体ホルダー６の内部に収容された弾性的に変形自在なウェーブワッシャーであって、回転軸スリーブ９が熱膨張した場合であっても、止め金具４に略一定の力が掛かるように変形するものである（以下「ウェーブワッシャー８」と称す）。
弾性体ホルダー６は、底部中心に貫通した中心孔６ｃが形成された底付きの筒状体であって、中心孔６ｃの周囲が内フランジ６ｂを形成し、筒状部の内周に雌ネジ６ａが形成されている。そして、雌ネジ６ａが回転軸スリーブ９のモータ側に設置されたモータ側雄ネジ９ｂに着脱自在に螺合している。また、弾性体ホルダー６の締め金具側の端面には、凹部が形成され、該凹部に回転軸スリーブ９のモータ側フランジ９ｃが侵入している。
【００２０】
さらに、スライダ７が弾性体ホルダー６に収容されている。スライダ７は、回転軸３ａが貫通する内径と、弾性体ホルダー６の中心孔６ｃを移動自在に貫通する内径とを具備するスライダボス７ｂと、弾性体ホルダー６内に収容自在且つ内フランジ６ｂに係止するスライダ外フランジ７ａとを有する筒状体である。
したがって、スライダ７は、スライダボス７ｂが弾性体ホルダー６の中心孔６ｃから止め金具４側に移動自在に突出し、スライダ外フランジ７ａが弾性体ホルダー６の内フランジ６ｂに係止するから、弾性体ホルダー６の内部を軸方向に移動自在であり、且つ弾性体ホルダー６から抜け出すことがない。
【００２１】
一方、ウェーブワッシャー８は、回転軸スリーブ９のモータ側の端面９ｆとスライダ７の締めナット側の端面７ｃとによって挾持されているから、ファンアッセンブリー５を回転軸３ａから抜き出した際、ファンアッセンブリー５から脱落することがない。また、回転軸スリーブ９が熱膨張した場合であっても、スライダ７が軸方向に移動自在であって、ウェーブワッシャー８が変形するから、止め金具４に過剰な力が掛かることがない（これについては別途詳細に説明する）。
なお、弾性体８はウェーブワッシャーに限定するものではなく、変位量にかかわらず略一定の荷重を伝達する機能を具備するものであればよい。
【００２２】
（回転軸スリーブ）
回転軸スリーブ９は、回転軸３ａに嵌合するＤカット状のＤカット嵌合孔９ｄと、後記防振体１０の内周面が嵌合するＤカット状のＤカット嵌合外周面９ｅとを有する筒状であって、Ｄカット嵌合外周面９ｅには鍔状のモータ側フランジ９ｃが一体的に形成（一体成形や締まり嵌め等）されている。
また、締めナット側の端部外周には締めナット側雄ネジ９ａ、モータ側の端部外周にはモータ側雄ネジ９ｂがそれぞれ設けられている。なお、締めナット側雄ネジ９ａには後記押さえナット１６が螺合し、モータ側雄ネジ９ｂには弾性体ホルダー６が螺合するものである。
【００２３】
（防振体）
防振体１０は防振ゴムであって、回転軸スリーブ９のＤカット嵌合外周面９ｅに嵌合するＤカット嵌合内周面１０ａと、後記ファン１１（正確にはファンボス１２）の内周面が嵌合するＤカット嵌合外周面１０ｂと、ファン１１の側面に当接する防振フランジ１０ｃを有している。
【００２４】
（ファン）
ファン１１は、複数枚の翼１１ａと、翼１１ａが一体的に固定されているファンボス１２とを有している。ファンボス１２には防振体１０のＤカット嵌合外周面１０ｂが嵌合するＤカット嵌合孔１２ａが形成されている。したがって、防振体１０のＤカット嵌合外周面１０ｂにＤカット嵌合孔１２ａが嵌合するから、ファン１１には回転軸３ａ（Ｄカットされている）の回転が確実に伝達される。
【００２５】
（締めナット側フランジ）
締めナット側フランジ１６ｂは押さえナット１６の外周に形成されている。
押さえナット１６には、回転軸スリーブ９の締めナット側雄ネジ９ａに螺合する押さえナット雌ネジ１６ａが形成され、かかる螺合によってファン１１をモータ側フランジ９ｃとの間で間接的に挟圧するものである。
すなわち、ファン１１のモータ側の側面には、防振体１０の防振フランジ１０ｃが、ファン１１の締めナット側の側面には、防振リング１３がそれぞれ当接している。つまり、モータ側フランジ９ｃとファン１１との間には防振フランジ１０ｃが配置され、一方、ファン１１と締めナット側フランジ１６との間には、防振リング１３、皿状ワッシャー１４および締めナット側ウェーブワッシャー１５が配置されている。
したがって、押さえナット１６を回転して締め付ければ、ファン１１は両側から間接的に挾持され、防振フランジ１０ｃと防振リング１３とを介して固定されることになる。このとき、回転軸スリーブ９が熱膨張した場合であっても、締めナット側ウェーブワッシャー１５が変形するから、ファン１１は軸方向に略一定の力で挾持されている。
【００２６】
（締めナット）
締めナット１７は、回転軸３ａの回転軸雄ネジ３ｃに螺合してファンアッセンブリー５の抜き出しを防止するものである。すなわち、締めナット１７を回転して締め付けると、締め付け力はウェーブワッシャー８を介して止め金具４に伝わることになる。
したがって、所定の締め付けの後、回転軸スリーブ９が熱膨張した場合であっても、締め付け力はウェーブワッシャー８によって略一定に維持されるから、止め金具４に過剰な力が掛かることがない。すなわち、止め金具４が永久変形して振動や音が発生することが防止される。
なお、回転軸スリーブ９の締めナット側の端面９ｇを締めナット側フランジ１６よりも突出させて、締めナット１７を端面９ｇに直接当接させてもよい。
【００２７】
以上は、モータ側フランジ９ｃが回転軸スリーブ９に一体的に形成され、締めナット側フランジ１６ｂが押さえナット１６に形成されたものを示しているが、本発明はこれに限定するものではなく、モータ側フランジ９ｃを着脱自在なナットに形成して、該ナットを回転軸スリーブ９に着脱自在に螺合し、一方、締めナット側フランジ１６を回転軸スリーブ９に一体的に形成してもよい。さらに、モータ側フランジ９ｃと締めナット側フランジ１６とを共にナットに形成して、それぞれを回転軸スリーブ９に着脱自在に螺合してもよい。
【００２８】
また、モータ側フランジ９ｃとファン１１との間、あるいは締めナット側フランジ１６とファン１１との間に配置する各部品は図示するものに限定するものではなく、適宜、追加や削除されるものである。
さらに、図１において、弾性体ホルダー６の締めナット側の端面６ｄが防振フランジ１０ｃに当接しているが、モータ側フランジ９ｃの外径を拡大して、モータ側フランジ９ｃを防振フランジ１０ｃの全面に当接させ、一方、弾性体ホルダー６の外径を小さくしてもよい。
【００２９】
（組み立て手順）
次に、送風ファンユニットの組み立て手順を簡単に説明する。
図３は、本発明の実施形態１に係る送風ファンユニットの組み立て手順を示すフロー図である。図３において、送風ファンユニット２は前記構成であるから、これを組み立てる手順は、
まず、ウェーブワッシャー８およびスライダ７を弾性体ホルダー６の内部に収容して、弾性体ホルダー６を回転軸スリーブ９に設置するステップ１と、
ファン１１およびその他の部品を回転軸スリーブ９に配置して、押さえナット１６を設置してファンアッセンブリー５を完成させるステップ２と、
完成したファンアッセンブリー５を回転軸３ａに嵌挿して、締めナット１７によって回転軸３ａに固定するステップ３とを有している。
【００３０】
すなわち、弾性体ホルダー６の内周側から中心孔６ｃにスライダ７のスライダボス７ｂを挿入し、ウェーブワッシャー８をスライダ外フランジ７ａに当接させて弾性体ホルダー６の内部に収容する。そして、弾性体ホルダー６の雌ネジ６ａを回転軸スリーブ９のモータ側雄ネジ９ｂに螺合する（ステップ１）。このとき、ウェーブワッシャー８は変形して、スライダ７のスライダ外フランジ７ａは弾性体ホルダー６の内フランジ６ｂに所定の押圧力（反発力に同じ）を伝えている。
【００３１】
次に、回転軸スリーブ９の締めナット側からモータ側フランジ９ｃに向けて、防振体１０、ファン１１、防振リング１３、皿状ワッシャー１４および締めナット側ウェーブワッシャー１５を順次配置し、押さえナット１６を回転してこれらを締め付けて、ファンアッセンブリー５を完成する（ステップ２）。このとき、締めナット側ウェーブワッシャー１５は変形して、ファン１１を所定の力でもって防振的に挟圧している。
【００３２】
最後に、完成したファンアッセンブリー５を回転軸３ａに嵌合して、締めナット１７を回転してこれを固定する（ステップ３）。このとき、回転軸３ａ、回転軸スリーブ９、防振体１０およびファン１１はいずれもＤカットによって嵌合しているから、これらの間で回転が確実に伝達される。
また、締め付け力はウェーブワッシャー８を介して止め金具４に伝達されるから、回転軸スリーブ９または締めナット側フランジ１６が熱膨張した場合あるいは締めナットを過剰に締め込んだ場合であっても、止め金具４に過大な荷重が掛かることがない。よって、止め金具４の永久変形が防止され、隙間の発生、運転中の不快な振動や音の発生が防止されることになる。
【００３３】
（熱膨張の吸収）
図４および図５は、それぞれ本発明の実施形態１に係る送風ファンユニットにおける熱膨張の吸収状況を説明する部分断面図である。
図４は送風ファンユニット２の通常状態、すなわち、回転軸スリーブ９または締めナット側フランジ１６が熱膨張していない状態を示している。このとき、スライダ７のスライダ外フランジ７ａは弾性体ホルダー６の内フランジ６ｂから僅かに離れているだけであるから、前記押圧力を止め金具４に伝えている。
【００３４】
図５は送風ファンユニット２の運転状態、すなわち、回転軸スリーブ９または締めナット側フランジ１６等が熱膨張した状態を示している。このとき、止め金具４と締めナット１７との距離が変わらないとすると、該熱膨張によって回転軸スリーブ９のモータ側端面９ｆがモータ側に移動し、該移動分（膨張分に相当する）がウェーブワッシャー８の変形によって吸収される。
つまり、スライダ７のスライダ外フランジ７ａは弾性体ホルダー６の内フランジ６ｂから該移動分だけ離れることになるものの、ウェーブワッシャー８が変形することによって、前記押圧力と略同一の荷重がスライダ７を介して止め金具４に伝わる。よって、過大な荷重が掛からないから止め金具４の永久変形が防止されるため、送風アッセンブリー５と止め金具４との間に隙間が生じて運転中に不快な音が発生することがなく、また、送風アッセンブリー５の締め付けが緩むことがない。
一方、ファンアッセンブリー５においては、ファン１１と押さえナット１６との間に、締めナット側ウェーブワッシャー１５が配置されているから、回転軸スリーブ９が熱膨張した場合には、締めナット側ウェーブワッシャー１５が、押さえナット１６と皿状ワッシャー１４との距離を拡げる方向に変形する。よって、ファン１１を挾持する力が緩くなることがない。
【００３５】
［実施形態２］
（温風暖房機）
図６は、本発明の実施形態２に係る温風暖房機を構成する各部品を分解して示す斜視図である。
図６において、温風暖房機１は、筐体２０の内部に設置された図示しない空気加熱手段と、送風ファンユニット２とを有している。
筐体２０の側面２１には、開口した吸気孔２２が設けられ、吸気孔２２の一方の側縁には蝶番設置ネジ孔２３が設けられ、蝶番設置ネジ孔２３に螺合する図示しない蝶番設置ネジによって、蝶番４０を構成する蝶番部品４２（連結孔４２ａが形成されている）が固定されている。
【００３６】
（保護扉）
保護扉３０は、吸気孔２２を通風自在に覆うものであって、矩形の外周枠３１と十字状の支え梁３２とによって形成された略田字状であって、開口部を覆う保護ガード３３とを有し、外周枠３１の一方の側縁部に蝶番４０を構成する蝶番部品４３（連結孔４３ａが形成されている）が設置されている。
蝶番４０は、筐体２０の蝶番部品４２と保護扉３０の蝶番部品４３とを、前者の連結孔４２ａと後者の連結孔４３ａとを貫通する連結シャフト４１によって連結するものである。したがって、保護扉３０は蝶番４０によって開閉自在に設置されるだけでなく、連結シャフト４１を抜き出すことによって、筐体２０から容易に取り外すことができる。また、支え梁３２の中央部には、モータ３を設置するためのモータ設置用ネジ孔３４が設けられている。
【００３７】
（送風ファンユニット）
モータ３は保護扉３０の中央部の内面側に着脱自在に設置されている。すなわち、図示しない設置用ネジが、モータ３の設置用孔３ｄを貫通して保護扉３０のモータ設置用ネジ孔３４に螺合している。
したがって、モータ３を保護扉３０に設置した後、回転軸３ａにファンアッセンブリー５を固定すれば、容易に送風ファンユニット２は完成する。また、あらかじめ、完成された送風ファンユニット２のモータ３を保護扉３０に設置してもよい。
よって、保護扉３０を閉じれば、送風ファンユニット２は筐体２０の内部に収容され、且つ、保護ガード３３によって遮断されて外部から触れることができなくなる。一方、保護扉３０を開ければ、送風ファンユニット２は筐体２０の外部に引き出される。
【００３８】
このとき、送風ファンユニット２は前記構成であるから、締めナット１７を緩めるだけで容易にファンアッセンブリー５を回転軸３ａから抜き出すことができ、ファンアッセンブリー５を清掃することが容易になる。
また、ファンアッセンブリー５を回転軸３ａから抜き出しても、これを構成する部品はバラバラに分離することないから、かかる構成部品が散逸することがなく、再度そのまま回転軸３ａに嵌挿することができる。よって、容易に送風ファンユニット２を完成して、これを筐体２０の内部に戻すことができるから、ファン１１の清掃等が容易且つ迅速になる。
【００３９】
また、モータ３は、図示しない設置用ネジを取り外すだけで保護扉３０から取り外せるから、送風ファンユニット２（モータ３を含む）を筐体２０から容易に取り外すことができる。
さらに、蝶番４０の連結シャフト４１を抜き出せば、保護扉３０を筐体２０から容易に取り外すことができる。よって、保護扉３０の清掃等も容易且つ迅速になる。
なお、本発明は送風ファンユニット２の設置形態を限定するものではなく、たとえば、保護扉３０を蝶番４０を用いないで側壁２１に直接設置してもよい。また、保護扉は図示するものに限定するものではなく、たとえば、外周枠３１を略円形等にしたり、支え梁３２を略Ｙ字状にしたりしてもよい。さらに、保護ガード３３は穴あき板（パンチメタル）、網、あるいは格子等何れによって形成してもよい。
【産業上の利用可能性】
【００４０】
本発明は以上の構成であるから、各種装置に設置される送風手段、吸気手段、排気手段におけるファンの設置構造として、さらに、各種温風暖房機や送風機として広く利用することができる。
【図面の簡単な説明】
【００４１】
【図１】送風ファンユニットの取り付け構造を示す側面視の断面図。
【図２】送風ファンユニットを構成する各部品を分解して示す斜視図。
【図３】送風ファンユニットの組み立て手順を簡単に説明するフロー図。
【図４】送風ファンユニットにおける熱膨張の吸収状況を説明する部分断面図。
【図５】送風ファンユニットにおける熱膨張の吸収状況を説明する部分断面図。
【図６】温風暖房機を構成する各部品を分解して示す斜視図。
【符号の説明】
【００４２】
１：温風暖房機、２：送風ファンユニット、３：モータ、３ａ：回転軸、３ｂ：環状溝３ｂ、３ｃ：回転軸雄ネジ、４：止め金具、５：ファンアッセンブリー、６：弾性体ホルダー、７：スライダ、８：弾性体（ウェーブワッシャー）、９：回転軸スリーブ、９ｃ：モータ側フランジ、１０：防振体、１１：ファン、１２：ファンボス、１３：防振リング、１４：皿状ワッシャー、１５：ナット側ウェーブワッシャー、１６：押さえナット、１６ｂ：締めナット側フランジ、１７：締めナット、２０：筐体、３０：保護扉、４０：蝶番。
【図１】
2005241048.tif 000003
【図２】
2005241048.tif 000004
【図３】
2005241048.tif 000005
【図４】
2005241048.tif 000006
【図５】
2005241048.tif 000007
【図６】
2005241048.tif 000008